(57)【要約】【課題】把持部を握って歯磨きを行うと、メロディや音楽等が鳴り、楽しく歯磨きが行える歯ブラシの提供。【解決手段】ミュージック歯ブラシＡは、多数の毛１１を植設したブラシ部１２と、握るための把持部１３とを連結してなり、メロディＩＣ２１、電池２２、圧電スピーカ２３、および把持部１３を握ると閉成するスイッチ２４、２５を組み付けた回路基板２を把持部１３の中空部内に防水状態に封入している。これにより、使用者が、把持部１３を握って歯磨きを行うとメロディＩＣ２１に通電されてメロディや音楽等が鳴り、楽しく歯磨きが行える。【選択図】図１
2006042966.tif 000002
【特許請求の範囲】
【請求項１】
多数の毛を植設したブラシ部と、手で握るための把持部とを有する歯ブラシであって、  所定のオーディオ信号の出力が可能なメロディ集積回路と、
該メロディ集積回路へ作動用電力を供給するための電池と、
前記メロディ集積回路が出力する前記オーディオ信号により駆動される鳴動体と、
前記把持部を握ると電気接点が閉成して、前記メロディ集積回路へ電力を供給するか稼動信号を前記メロディ集積回路へ送出するスイッチとを前記把持部に組み付け、
前記把持部を握って歯磨きを行うと、メロディや音楽等が鳴ることを特徴とする歯ブラシ。
【請求項２】
多数の毛を植設したブラシ部と、手で握るための把持部とを有する歯ブラシであって、  所定のオーディオ信号の出力が可能なメロディ集積回路と、
該メロディ集積回路へ作動用電力を供給するための電池と、
前記メロディ集積回路が出力する前記オーディオ信号により駆動される鳴動体と、
前記把持部を握るか前記歯ブラシを動かす歯磨き動作を感知すると、稼動信号を前記メロディ集積回路へ送出するセンサとを前記把持部に組み付け、
前記把持部を握って歯磨きを行うと、メロディや音楽等が鳴ることを特徴とする歯ブラシ。
【請求項３】
前記メロディ集積回路が出力するオーディオ信号の種類を変えるには、前記メロディ集積回路を交換するか、または信号選択用の切換スイッチを切り換えることを特徴とする請求項１または請求項２に記載の歯ブラシ。
【請求項４】
前記メロディ集積回路は、演奏時間を設定したタイマを備え、演奏開始から前記演奏時間が経過すると前記オーディオ信号の出力を停止することを特徴とする請求項１乃至請求項３の何れかに記載の歯ブラシ。
【請求項５】
多数の毛を植設したブラシ部と、手で握るための把持部とを有する歯ブラシであって、  所定のデジタルデータをメモリに格納し、前記デジタルデータに対応したオーディオ信号の出力が可能な電子回路と、
該電子回路へ作動用電力を供給するための電池と、
前記電子回路が出力する前記オーディオ信号により駆動される鳴動体と、
前記把持部を握ると電気接点が閉成し、稼動信号を前記電子回路へ送出するスイッチとを前記把持部に組み付け、
前記把持部を握って歯磨きを行うと、メロディや音楽等が鳴ることを特徴とする歯ブラシ。
【請求項６】
多数の毛を植設したブラシ部と、手で握るための把持部とを有する歯ブラシであって、  所定のデジタルデータをメモリに格納し、前記デジタルデータに対応したオーディオ信号の出力が可能な電子回路と、
該電子回路へ作動用電力を供給するための電池と、
前記電子回路が出力する前記オーディオ信号により駆動される鳴動体と、
前記把持部を握るか歯ブラシを動かす歯磨き動作を感知すると、稼動信号を前記電子回路へ送出するセンサとを前記把持部に組み付け、
前記把持部を握って歯磨きを行うと、メロディや音楽等が鳴ることを特徴とする歯ブラシ。
【請求項７】
前記電子回路が出力するオーディオ信号の種類を変えるには、前記メモリを交換するか、またはデータ選択用の切換スイッチを切り換えることを特徴とする請求項５または請求項６に記載の歯ブラシ。
【請求項８】
前記電子回路は、演奏時間を設定したタイマを備え、演奏開始から前記演奏時間が経過すると前記オーディオ信号の出力を停止することを特徴とする請求項５乃至請求項７の何れかに記載の歯ブラシ。
【請求項９】
多数の毛を植設したブラシ部と、手で握るための把持部とを有する歯ブラシであって、  前記把持部を握って歯ブラシを動かす歯磨き動作により発電する発電手段と、
作動用電力が供給されると所定のオーディオ信号を出力するメロディ集積回路と、
前記メロディ集積回路が出力する前記オーディオ信号により駆動される鳴動体とを前記把持部に組み付け、
前記把持部を握って歯磨きを行うと、前記発電手段が発電した電力が前記メロディ集積回路に供給され、メロディや音楽等が鳴ることを特徴とする歯ブラシ。
【発明の詳細な説明】
【技術分野】
【０００１】
本発明は、歯を磨くための歯ブラシに関する。
【背景技術】
【０００２】
一般に歯ブラシは、歯磨きし易い様に、毛の形状や材質、柄の形状や材質が考慮されている。また、電動式の歯ブラシも知られている。
歯磨時間が短い場合や、正しい方法で歯磨きをしない場合に虫歯に成り易いと、歯科医師らが近年、指導している。しかし、歯磨きは楽しく無く、特に多くの子供は歯磨きを嫌がる。
【０００３】
楽しく歯磨きできる歯ブラシとして、下記に示す従来技術（特許文献１〜３）が知られている。
特許文献１には、柄の部分を握り、スイッチを押すと内蔵した電子機器回路が働き、音楽等の音が聞こえだす音のでる歯ブラシが記載されている。
特許文献２には、歯磨きの度に音楽を奏で光を放つ歯ブラシが記載されている。
特許文献３には、市販の歯ブラシの握りの部分に、歯磨きによる振動を感知している間、または振動感知から３分間、音楽を流す、音楽付き占いゲーム装置を装着した歯ブラシが記載されている。
【特許文献１】実用新案登録第３００８９０３号公報
【特許文献２】実用新案登録第３０６９２６６号公報
【特許文献３】特開２００２−３６９７１８号公報
【発明の開示】
【発明が解決しようとする課題】
【０００４】
特許文献１の音のでる歯ブラシは、音楽等の音を出すには、スイッチを押す必要があり面倒である。また、スイッチを切り忘れると、電池が消耗して鳴らなくなってしまう。
特許文献２の歯ブラシは、ブラシ部を下にして歯ブラシを保管すると、金属球が金属片に当接して鳴り止まなくなるとともに、電池が消耗する。
特許文献３の歯ブラシは、構造が複雑であるとともに、合体状態での重量が重い。
【０００５】
本発明の第１の目的は、把持部を握って歯磨きを行うと、メロディや音楽等が鳴り、楽しく歯磨きが行える歯ブラシの提供にある。
本発明の第２の目的は、鳴らすメロディや音楽等の種類を簡単に変えることができる歯ブラシの提供にある。
本発明の第３の目的は、歯磨きに適した時間だけメロディや音楽等が鳴る歯ブラシの提供にある。
【課題を解決するための手段】
【０００６】
〔請求項１の手段〕
歯ブラシは、多数の毛を植設したブラシ部と、手で握るための把持部とを有する。この把持部には、メロディ集積回路、電池、鳴動体、およびスイッチが組み付けられている。  メロディ集積回路は、所定のオーディオ信号の出力が可能である。
電池は、メロディ集積回路へ作動用電力を供給するためのものである。
鳴動体は、メロディ集積回路が出力するオーディオ信号により駆動される。
使用者が歯磨きを行なう際に、把持部を手で握ると、意識してスイッチ操作を行うこと無く、自然に電気接点が閉成する。このため、スイッチを介して、メロディ集積回路へ電力が供給されるか稼動信号がメロディ集積回路へ送出される。これにより、メロディ集積回路が所定のオーディオ信号を鳴動体へ出力するので、鳴動体がオーディオ信号で駆動され、メロディや音楽等が鳴る。
使用者が歯磨きを行なおうとして、把持部を手で握れば、歯ブラシがメロディや音楽等を演奏するので楽しく歯磨きを行うことができる。
【０００７】
意識してスイッチ操作を行う必要がないので、スイッチの入れ忘れが生じず、把持部を手で握れば、幼少の子供でも確実にメロディや音楽等を演奏させることができ、歯磨きを楽しく行うことができる。
スイッチの切り忘れが生じない構造であるので、使用者が幼少の子供であっても電池切れが生じない。
構造が簡単であるので歯ブラシを安価に製造することができる。
【０００８】
また、使用者が歯磨きを終え、歯ブラシを洗ってコップ等に入れ、把持部から手を放すと、自然に電気接点が開成する。このため、メロディ集積回路への電力供給が断たれるかメロディ集積回路への稼動信号の送出が止まる。これにより、メロディ集積回路から所定のオーディオ信号の鳴動体への出力が停止するので、メロディや音楽等が鳴り止む。
【０００９】
〔請求項２の手段〕
歯ブラシは、多数の毛を植設したブラシ部と、手で握るための把持部とを有する。この把持部には、メロディ集積回路、電池、鳴動体、センサが組み付けられている。
メロディ集積回路は、所定のオーディオ信号の出力が可能である。
電池は、メロディ集積回路へ作動用電力を供給するためのものである。
鳴動体は、メロディ集積回路が出力するオーディオ信号により駆動される。
センサは、歯磨き動作（把持部を握る動作か、歯ブラシを動かす動作）を感知すると、稼動信号をメロディ集積回路へ送出する。なお、把持部を握る動作か、歯ブラシを動かす動作の何れか一方、または両方をセンサが感知すれば良い。
稼動信号が入力されるとメロディ集積回路が作動し、オーディオ信号を鳴動体へ出力する。
鳴動体は、メロディ集積回路が出力するオーディオ信号により駆動される。
【００１０】
使用者が把持部を握るか歯ブラシを動かすと、センサが歯磨き動作を感知し、稼動信号をメロディ集積回路へ送出する。これにより、メロディ集積回路が所定のオーディオ信号を鳴動体へ出力するので鳴動体がオーディオ信号で駆動され、メロディや音楽等が鳴る。  
【００１１】
つまり、使用者が歯磨きを行なおうとして、把持部を握るか歯ブラシを動かすと、歯ブラシがメロディや音楽等を演奏するので楽しく歯磨きを行うことができる。
把持部を握るか歯ブラシを動かせば、幼少の子供でも確実にメロディや音楽等を演奏させることができ、歯磨きを楽しく行うことができる。
手動で操作するスイッチが不要であるので、使用者が幼少の子供であっても電池切れが生じない。
構造が比較的簡単であるので歯ブラシを安価に製造することができる。
【００１２】
また、使用者が歯磨きを終え、歯ブラシを洗ってコップ等に入れ、把持部から手を放すと、センサが歯磨き動作を感知しなくなり、稼動信号がメロディ集積回路へ送出されなくなる。これにより、メロディ集積回路から所定のオーディオ信号の鳴動体への出力が停止するので、メロディや音楽等が鳴り止む。
【００１３】
〔請求項３の手段〕
メロディ集積回路を交換するか、または信号選択用の切換スイッチを切り換えれば、メロディ集積回路が鳴動体へ出力するオーディオ信号の種類を変えることができ、鳴らすメロディや音楽等を変えることができる。これにより、使用者の飽きを防止することができる。
【００１４】
〔請求項４の手段〕
メロディ集積回路は、演奏時間を設定したタイマを備え、演奏開始から演奏時間が経過するとオーディオ信号の出力を停止する。
使用者が、把持部を握っていたり、歯ブラシを動かす動作（歯磨き）をしていても、演奏開始から演奏時間が経過すると、メロディや音楽等が鳴り止む。
これにより、使用者は、歯磨きの終了時期が来たことを確認できる。なお、演奏時間は、歯磨きに適した時間に設定すれば良く、例えば、１分、２分、３分、５分、１０分、１５分等に設定する。
【００１５】
〔請求項５の手段〕
歯ブラシは、多数の毛を植設したブラシ部と、手で握るための把持部とを有する。この把持部には、電子回路、電池、鳴動体、およびスイッチが組み付けられている。
電子回路は、所定のデジタルデータをメモリに格納し、デジタルデータに対応したオーディオ信号の出力が可能である。
電池は、電子回路へ作動用電力を供給するためのものである。
鳴動体は、電子回路が出力するオーディオ信号により駆動される。
【００１６】
使用者が歯磨きを行なう際に、把持部を手で握ると、意識してスイッチ操作を行うこと無く、自然に電気接点が閉成する。このため、スイッチを介して、電子回路へ稼動信号が送出される。これにより、電子回路が所定のオーディオ信号を鳴動体へ出力するので、鳴動体がオーディオ信号で駆動され、メロディや音楽等が鳴る。
使用者が歯磨きを行なおうとして、把持部を手で握れば、歯ブラシがメロディや音楽等を演奏するので楽しく歯磨きを行うことができる。
【００１７】
意識してスイッチ操作を行う必要がないので、スイッチの入れ忘れが生じず、把持部を手で握れば、幼少の子供でも確実にメロディや音楽等を演奏させることができ、歯磨きを楽しく行うことができる。
スイッチの切り忘れが生じない構造であるので、使用者が幼少の子供であっても電池切れが生じない。
構造が簡単であるので歯ブラシを安価に製造することができる。
【００１８】
また、使用者が歯磨きを終え、歯ブラシを洗ってコップ等に入れ、把持部から手を放すと、自然に電気接点が開成する。このため、電子回路への稼動信号の送出が止まる。これにより、オーディオ信号の鳴動体への出力を電子回路が停止するので、メロディや音楽等が鳴り止む。
【００１９】
〔請求項６の手段〕
歯ブラシは、多数の毛を植設したブラシ部と、手で握るための把持部とを有する。この把持部には、電子回路、電池、鳴動体、センサが組み付けられている。
歯磨き動作（把持部を握る動作か、歯ブラシを動かす動作）をセンサが感知すると稼動信号を電子回路へ送出する。なお、把持部を握る動作か、歯ブラシを動かす動作の何れか一方、または両方をセンサが感知すれば良い。
稼動信号が入力されると電子回路が作動し、メモリに格納されたデジタルデータに対応したオーディオ信号を鳴動体へ出力する。
鳴動体は、電子回路が出力するオーディオ信号により駆動される。
【００２０】
使用者が把持部を握るか歯ブラシを動かすと、センサが歯磨き動作を感知し、稼動信号を電子回路へ送出する。これにより、電子回路が所定のオーディオ信号を鳴動体へ出力するので、鳴動体がオーディオ信号で駆動され、メロディや音楽等が鳴る。
つまり、使用者が歯磨きを行なおうとして、把持部を握るか歯ブラシを動かすと、歯ブラシがメロディや音楽等を演奏するので楽しく歯磨きを行うことができる。
把持部を握るか歯ブラシを動かせば、幼少の子供でも確実にメロディや音楽等を演奏させることができ、歯磨きを楽しく行うことができる。
【００２１】
手動で操作するスイッチが不要であるので、使用者が幼少の子供であっても電池切れが生じない。
構造が比較的簡単であるので歯ブラシを安価に製造することができる。
また、使用者が歯磨きを終え、歯ブラシを洗ってコップ等に入れ、把持部から手を放すと、センサが歯磨き動作を感知しなくなるので電子回路へ稼動信号が送出されなくなる。これにより、オーディオ信号の鳴動体への出力を電子回路が停止するので、メロディや音楽等が鳴り止む。
【００２２】
〔請求項７の手段〕
メモリを交換するか、またはデータ選択用の切換スイッチを切り換えれば、電子回路が鳴動体へ出力するオーディオ信号の種類を変えることができ、鳴らすメロディや音楽等を変えることができる。これにより、使用者の飽きを防止することができる。
【００２３】
〔請求項８の手段〕
電子回路は、演奏時間を設定したタイマを備え、演奏開始から演奏時間が経過するとオーディオ信号の出力を停止する。
使用者が、把持部を握っていたり、歯ブラシを動かす動作（歯磨き）をしていても、演奏開始から演奏時間が経過すると、メロディや音楽等が鳴り止む。
これにより、使用者は、歯磨きの終了時期が来たことを確認できる。なお、演奏時間は、歯磨きに適した時間に設定すれば良く、例えば、１分、２分、３分、５分、１０分、１５分等に設定する。
【００２４】
〔請求項９の手段〕
歯ブラシは、多数の毛を植設したブラシ部と、手で握るための把持部とを有する。この把持部には、発電手段、メロディ集積回路、および鳴動体が組み付けられている。
メロディ集積回路は、作動用電力が供給されると所定のオーディオ信号を出力する。
発電手段は、把持部を握って歯ブラシを動かす歯磨き動作を行うと発電する。
鳴動体は、メロディ集積回路が出力するオーディオ信号により駆動される。
使用者が把持部を握って歯ブラシを動かす歯磨き動作を行うと、発電手段が発電した電力がメロディ集積回路に供給され、メロディや音楽等が鳴る。
使用者が把持部を握って歯磨き動作を行うと、歯ブラシがメロディや音楽等を演奏するので楽しく歯磨きを行うことができる。
【００２５】
歯磨き動作を行えば、幼少の子供でも確実にメロディや音楽等を演奏させることができ、歯磨きを楽しく行うことができる。
電池が不要であるので経済的である。
構造が簡単であるので歯ブラシを安価に製造することができる。
【００２６】
また、使用者が歯磨きを止め（中断や終了）、歯ブラシを動かす歯磨き動作を行わなくなると、発電手段が発電しなくなるのでメロディ集積回路への電力供給が止まり、メロディや音楽等が鳴り止む。
【発明を実施するための最良の形態】
【００２７】
ミュージック歯ブラシは、多数の毛を植設したブラシ部と、手で握るための把持部とを有し、オーディオ信号の出力が可能なメロディ集積回路と、メロディＩＣへ作動用電力を供給するための電池と、メロディＩＣが出力するオーディオ信号により駆動される圧電スピーカーと、把持部を握ると電気接点が閉成してメロディ集積回路へ電力を供給するスイッチとを把持部に組み付け、使用者が把持部を握って歯磨きを行うと、メロディや音楽等が鳴る。
これにより、使用者は、楽しく歯磨きを行うことができ、虫歯を防止できる。
【実施例１】
【００２８】
本発明の実施例１に係るミュージック歯ブラシＡ（請求項１に対応）を図１および図２に基づいて説明する。
図に示す如く、ミュージック歯ブラシＡの基体１（プラスチック製）は、多数の毛１１を植設（幅０．９ｃｍ、長さ３ｃｍ、高さ１ｃｍ）したブラシ部１２と、握るための把持部１３とを連結してなる。そして、メロディＩＣ２１（メロディ集積回路）、電池２２、圧電スピーカ２３（鳴動体）、およびスイッチ２４、２５の片側を組み付けた回路基板２を把持部１３の中空部内に防水状態に封入している。
【００２９】
ブラシ部１２（幅１．２ｃｍ、肉厚０．５ｃｍ、長さ３ｃｍ）は、歯磨き時に口腔内に入れる部分であり、練りハミガキを付けた多数の毛１１を歯に押し当て、前後左右に動かして磨く。
把持部１３（幅１．７ｃｍ、肉厚１．５ｃｍ、長さ１２ｃｍ）は、歯磨きする際に、利き手で握る部分である。
【００３０】
メロディＩＣ２１は、作動用電力が供給されると作動し、所定のオーディオ信号２６をエンドレスに出力する。なお、所定のオーディオ信号２６は、特定のメロディや音楽に対応したものである。
電池２２は、偏平な円柱形状を呈する、小型のボタン電池やコイン電池である。また、起電力は、１．４Ｖ〜３Ｖ程度である。
【００３１】
圧電スピーカ２３は、対向する圧電セラミック板の間に金属板を挟んでなる振動子に固定された接続棒の先が振動板へ当たる構造を呈している。
この圧電スピーカ２３は、メロディＩＣ２１が出力するオーディオ信号２６により駆動されると、特定のメロディや音楽を発鳴する。
【００３２】
スイッチ２４、２５は、回路基板２に形成した電極板２４ａ、２５ａと、把持部１３の植設側面（図１参照）、反植設側面に貼着した導電性ゴムパッド２４ｂ、２５ｂとにより構成されている。電極板２４ａ、２５ａは、電池２２の＋極に電気接続されている。導電性ゴムパッド２４ｂ、２５ｂは、メロディＩＣ２１の＋電源端子に電気接続されている。  使用者が把持部１３の植設側面に指を圧接して把持部１３を握った場合には、導電性ゴムパッド２４ｂが内方に押されるので電極板２４ａに当接し、スイッチ２４が閉成（オン状態）する。
また、使用者が把持部１３の反植設側面に指を圧接して把持部１３を握った場合｛図２の（ｂ）参照｝には、導電性ゴムパッド２５ｂが内方に押されるので電極板２５ａに当接し、スイッチ２５が閉成（オン状態）する。
なお、少なくとも、一方のスイッチが閉成すると、電池２２の電力がメロディＩＣ２１に供給される。
【００３３】
本実施例のミュージック歯ブラシＡは、以下の様に使用する。
使用者が歯磨きを行なう際に、把持部１３を手で握ると、意識してスイッチ操作を行うこと無く、自然にスイッチ２４、２５の少なくとも一方がオンになる。このため、オンになった方のスイッチ２４、２５を介して、メロディＩＣ２１へ電池２２の電力が供給される。これにより、メロディＩＣ２１が作動し、オーディオ信号２６を圧電スピーカ２３へ出力するので、圧電スピーカ２３がオーディオ信号２６で駆動され、メロディや音楽等が鳴る。
【００３４】
また、使用者が歯磨きを終え、ミュージック歯ブラシＡを洗ってコップ等に入れ、把持部１３から手を放すと、自然にスイッチ２４、２５が開成する。このため、メロディＩＣ２１への電力供給が断たれる。これにより、メロディＩＣ２１が作動停止するので、メロディや音楽等が鳴り止む。
【００３５】
つぎに、本実施例のミュージック歯ブラシＡの利点を述べる。
〔あ〕使用者が歯磨きを行なおうとして把持部１３を手で握れば、自然にスイッチ２４、２５が閉成し、電池２２の電力がメロディＩＣ２１に供給され、ミュージック歯ブラシＡがメロディや音楽等を演奏するので楽しく歯磨きを行うことができる。
【００３６】
〔い〕ミュージック歯ブラシＡは、意識してスイッチ操作を行う必要がないので、スイッチの入れ忘れが生じず、把持部１３を手で握れば電池２２の電力がメロディＩＣ２１に供給され、幼少の子供でも確実にメロディや音楽等を演奏させることができ、歯磨きを楽しく行うことができる。
〔う〕ミュージック歯ブラシＡは、スイッチ２４、２５が常開スイッチであるので電源の切り忘れが生じず、使用者が幼少の子供であっても、早期の電池切れは生じない。
〔え〕ミュージック歯ブラシＡは、構造が簡単であるので安価に製造することができる。  
【００３７】
〔変形例Ａ−１〕
ミュージック歯ブラシＡにおいて、オーディオ信号２６の種類を変える小型のＤＩＰＳＷ（信号選択用の切換スイッチ）２７を把持部１３に設けても良い｛図２（ａ）の破線参照｝。
ＤＩＰＳＷ２７の設定を変えれば、鳴るメロディや音楽等が変わるので、使用者の飽きを防止することができる（請求項３に対応）。
【００３８】
〔変形例Ａ−２〕
ミュージック歯ブラシＡにおいて、演奏時間が設定され、演奏開始から演奏時間が経過するとオーディオ信号の出力を停止するタイマ２８｛図２（ａ）の破線参照｝をメロディＩＣ２１へ組み込んでも良い（請求項４に対応）。
この構成のミュージック歯ブラシは、使用者が、把持部１３を握っていたり、ミュージック歯ブラシを動かす動作（歯磨き）をしていても、演奏開始から演奏時間が経過すると、メロディや音楽等が鳴り止む。
これにより、使用者は、歯磨きの終了時期が来たことを確認できる。なお、演奏時間は、歯磨きに適した時間に設定すれば良く、例えば、１分、２分、３分、５分、１０分、１５分等に設定する。
【００３９】
つぎに、本発明の実施例２に係るミュージック歯ブラシＢ（請求項１に対応）を図１および図３に基づいて説明する。
図に示す如く、ミュージック歯ブラシＢは、多数の毛１１を植設したブラシ部１２と、握るための把持部１３とを連結してなる。そして、メロディＩＣ２１、電池２２、圧電スピーカ２３、およびスイッチ２４、２５の片側を組み付けた回路基板２を把持部１３の中空部内に防水状態に封入している。なお、ブラシ部１２および把持部１３の構造は、ミュージック歯ブラシＡと同じである。
【００４０】
メロディＩＣ２１は、作動用電力が電池２２から常時供給されており、稼働信号２０が入力されると作動し、所定のオーディオ信号２６をエンドレスに出力する。なお、所定のオーディオ信号２６は、特定のメロディや音楽に対応したものである。また、稼働信号入力ポート２９へ稼働信号２０を入力しない場合の消費電流は極僅かである。
【００４１】
スイッチ２４、２５は、実施例１と同様に、回路基板２に形成した電極板２４ａ、２５ａと、把持部１３の植設側面（図２参照）、反植設側面に張着した導電性ゴムパッド２４ｂ、２５ｂとにより構成されている。電極板２４ａ、２５ａは、メロディＩＣ２１の稼働信号入力ポート２９に電気接続されている。導電性ゴムパッド２４ｂ、２５ｂは、電池２２の−極に接続され、接地されている。
【００４２】
使用者が把持部１３の植設側面に指を圧接して把持部１３を握った場合には、導電性ゴムパッド２４ｂが内方に押されるので電極板２４ａに当接し、スイッチ２４が閉成（オン状態）する。
また、使用者が把持部１３の反植設側面に指を圧接して把持部１３を握った場合｛図２の（ｂ）参照｝には、導電性ゴムパッド２５ｂが内方に押されるので電極板２５ａに当接し、スイッチ２５が閉成（オン状態）する。
なお、少なくとも、一方のスイッチが閉成すると、稼働信号入力ポート２９が接地され、稼働信号入力ポート２９へ稼働信号２０が入力する。
【００４３】
本実施例のミュージック歯ブラシＢは、以下の様に使用する。
使用者が歯磨きを行なう際に、把持部１３を手で握ると、意識してスイッチ操作を行うこと無く、自然にスイッチ２４、２５の少なくとも一方がオンになる。このため、オンになった方のスイッチ２４、２５を介して、稼働信号入力ポート２９へ稼働信号２０が入力される。これにより、メロディＩＣ２１が作動し、オーディオ信号２６を圧電スピーカ２３へ出力するので、圧電スピーカ２３がオーディオ信号２６で駆動され、メロディや音楽等が鳴る。
【００４４】
また、使用者が歯磨きを終え、ミュージック歯ブラシＢを洗ってコップ等に入れ、把持部１３から手を放すと、自然にスイッチ２４、２５が開成する。このため、稼働信号入力ポート２９への稼働信号２０の入力が断たれる。これにより、メロディＩＣ２１が作動停止するので、メロディや音楽等が鳴り止む。
【００４５】
つぎに、本実施例のミュージック歯ブラシＢの利点を述べる。
〔お〕使用者が歯磨きを行なおうとして把持部１３を手で握れば、自然にスイッチ２４、２５が閉成し、稼働信号入力ポート２９へ稼働信号２０が入力し、ミュージック歯ブラシＢがメロディや音楽等を演奏するので楽しく歯磨きを行うことができる。
【００４６】
〔か〕ミュージック歯ブラシＢは、意識してスイッチ操作を行う必要がないので、スイッチの入れ忘れが生じず、把持部１３を手で握れば稼働信号入力ポート２９へ稼働信号２０を入力させることができるので、幼少の子供でも確実にメロディや音楽等を演奏させることができ、歯磨きを楽しく行うことができる。
【００４７】
〔き〕ミュージック歯ブラシＢは、スイッチ２４、２５が開成状態で稼働信号入力ポート２９に稼働信号２０が入力しない場合の消費電流は極僅かであるので、使用者が幼少の子供であっても、早期の電池切れは生じない。
〔く〕ミュージック歯ブラシＢは、構造が簡単であるので安価に製造することができる。  
【００４８】
〔変形例Ｂ−１〕
ミュージック歯ブラシＢにおいて、オーディオ信号２６の種類を変える小型のＤＩＰＳＷ（信号選択用の切換スイッチ）２７を把持部１３に設けても良い｛図３（ａ）の破線参照｝。
ＤＩＰＳＷ２７の設定を変えれば、鳴るメロディや音楽等が変わるので、使用者の飽きを防止することができる（請求項３に対応）。
【００４９】
〔変形例Ｂ−２〕
ミュージック歯ブラシＢにおいて、演奏時間が設定され、演奏開始から演奏時間が経過するとオーディオ信号の出力を停止するタイマ２８｛図３（ａ）の破線参照｝をメロディＩＣ２１へ組み込んでも良い（請求項４に対応）。
この構成のミュージック歯ブラシＢは、使用者が、把持部１３を握っていたり、ミュージック歯ブラシＢを動かす動作（歯磨き）をしていても、演奏開始から演奏時間が経過すると、メロディや音楽等が鳴り止む。
これにより、使用者は、歯磨きの終了時期が来たことを確認できる。なお、演奏時間は、歯磨きに適した時間に設定すれば良く、例えば、１分、２分、３分、５分、１０分、１５分等に設定する。
【００５０】
つぎに、本発明の実施例３に係るミュージック歯ブラシＣ（請求項２、３に対応）を図４に基づいて説明する。
図に示す如く、ミュージック歯ブラシＣは、多数の毛１１を植設したブラシ部１２と、握るための把持部１３とを連結してなる。そして、メロディＩＣ２１、電池２２、圧電スピーカ２３、およびセンサ３の歯磨検知回路３１を組み付けた回路基板２を把持部１３の中空部内に防水状態に封入している。
【００５１】
ミュージック歯ブラシＡ、Ｂと同様、ブラシ部１２（幅１．２ｃｍ、肉厚０．５ｃｍ、長さ３ｃｍ）は、歯磨き時に口腔内に入れる部分であり、練りハミガキを付けた多数の毛１１を歯に押し当て、前後左右に動かして磨く。
把持部１３（幅１．７ｃｍ、肉厚１．５ｃｍ、長さ１２ｃｍ）は、歯磨きする際に、利き手で握る部分である。この把持部１３の手の指が当たる部位の表面には、センサ３の電極帯３２、３３が環状に形成されている。
【００５２】
電極帯３２、３３は、歯磨検知回路３１に電気接続されている。使用者が電極帯３２、３３間に指を圧接して把持部１３を握った場合には、通常∞（無限大）である電極帯３２、３３間の電気抵抗が閾値（数百ｋΩ〜数十ｋΩ）以下に変化する。
歯磨検知回路３１は、電極帯３２、３３間の電気抵抗が閾値以下になると、稼働信号入力ポート２９へ稼働信号３０を出力する。
【００５３】
歯磨検知回路３１およびメロディＩＣ２１には、作動用電力が電池２２から常時供給されている。
メロディＩＣ２１は、稼働信号３０が入力されると作動し、所定のオーディオ信号２６をエンドレスに出力する。なお、所定のオーディオ信号２６は、特定のメロディや音楽に対応したものである。
圧電スピーカ２３から鳴らすメロディや音楽を変更する場合には、把持部１３の反植設側面の交換用開口ｈに取り付けた防水仕様の交換用フタ１４を取り外し、ソケット（図示せず）からメロディＩＣ２１を抜いて交換し、メロディＩＣ２１が出力するオーディオ信号２６の種類を変える。
【００５４】
稼働信号入力ポート２９へ稼働信号３０を入力しない場合のメロディＩＣ２１の消費電流は極僅かである。また、電極帯３２、３３間の電気抵抗が∞の状態（稼働信号３０を出力しない状態）での歯磨検知回路３１の消費電流は極僅かである。
【００５５】
使用者が電極帯３２、３３間に指を当接して把持部１３を握った場合には、電極帯３２、３３間の電気抵抗が閾値以下になり、歯磨検知回路３１が稼働信号入力ポート２９へ稼働信号３０を出力する。
【００５６】
本実施例のミュージック歯ブラシＣは、以下の様に使用する。
使用者が歯磨きを行なう際に、把持部１３の電極帯３２、３３を手で握ると、通常∞である電極帯３２、３３間の電気抵抗が閾値以下に変化し、歯磨検知回路３１が稼働信号入力ポート２９へ稼働信号３０を出力する。これにより、メロディＩＣ２１が作動し、オーディオ信号２６を圧電スピーカ２３へ出力するので、圧電スピーカ２３がオーディオ信号２６で駆動され、メロディや音楽等が鳴る。
【００５７】
また、使用者が歯磨きを終え、ミュージック歯ブラシＣを洗い、水滴を拭いてコップ等に入れ、把持部１３から手を放すと電極帯３２、３３間の電気抵抗が∞に戻り、稼働信号入力ポート２９への稼働信号３０の入力が断たれる。これにより、メロディＩＣ２１が作動停止するので、メロディや音楽等が鳴り止む。
【００５８】
つぎに、本実施例のミュージック歯ブラシＣの利点を述べる。
〔け〕使用者が歯磨きを行なおうとして把持部１３を手で握れば、電極帯３２、３３間の電気抵抗が∞から閾値以下に変化し、歯磨検出回路３１が稼働信号入力ポート２９へ稼働信号３０を入力し、ミュージック歯ブラシＣがメロディや音楽等を演奏するので楽しく歯磨きを行うことができる。
【００５９】
〔こ〕ミュージック歯ブラシＣは、把持部１３を手で握れば稼働信号入力ポート２９へ稼働信号３０を入力させることができるので、幼少の子供でも確実にメロディや音楽等を演奏させることができ、歯磨きを楽しく行うことができる。
【００６０】
〔さ〕ミュージック歯ブラシＣは、電極帯３２、３３間の電気抵抗が∞で、稼働信号入力ポート２９に稼働信号３０が入力しない場合の消費電流は極僅かであるので、使用者が幼少の子供であっても、早期の電池切れは生じない。
〔し〕ミュージック歯ブラシＣは、交換用フタ１４を取り外し、ソケットからメロディＩＣ２１を抜いて交換し、メロディＩＣ２１を変えれば、鳴るメロディや音楽等を変えることができるので、使用者の飽きを防止することができる。また、構造が比較的簡単であるので安価に製造することができる。
【００６１】
〔変形例Ｃ−１〕
ミュージック歯ブラシＣにおいて、演奏時間が設定され、演奏開始から演奏時間が経過するとオーディオ信号の出力を停止するタイマ２８｛図４（ａ）の破線参照｝をメロディＩＣ２１へ組み込んでも良い（請求項４に対応）。
この構成のミュージック歯ブラシは、使用者が把持部１３を握って、電極帯３２、３３間の電気抵抗が閾値以下になっていても、演奏開始から演奏時間が経過すると、メロディや音楽等が鳴り止む。
これにより、使用者は、歯磨きの終了時期が来たことを確認できる。なお、演奏時間は、歯磨きに適した時間に設定すれば良く、例えば、１分、２分、３分、５分、１０分、１５分等に設定する。
【００６２】
つぎに、本発明の実施例４に係るミュージック歯ブラシＤ（請求項９に対応）を図５に基づいて説明する。
図に示す如く、ミュージック歯ブラシＤは、多数の毛１１を植設したブラシ部１２と、握るための把持部１３とを連結してなる。そして、メロディＩＣ２１、圧電スピーカ２３、および発電手段４の発電回路４０を組み付けた回路基板２と、摺動式発電器とを把持部１３の中空部内に防水状態に封入している。
【００６３】
ブラシ部１２（幅１．２ｃｍ、肉厚０．５ｃｍ、長さ３ｃｍ）は、歯磨き時に口腔内に入れる部分であり、練りハミガキを付けた多数の毛１１を歯に押し当て、前後左右に動かして磨く。
把持部１３（直径Φ２．０ｃｍ、長さ１５ｃｍ）は、歯磨きする際に、利き手で握る部分であり、円筒状を呈する。
【００６４】
発電手段４は、端にクッション４１を配設した円筒体４２、円筒体４２に巻回されるコイル４３、および歯磨き動作により円筒体４２内で摺動する永久磁石４４からなる摺動式発電器と、コイル４３に発生した交流を直流の所定電圧（１．４Ｖ〜５Ｖ程度）に調整して蓄電する発電回路４０とからなる。
【００６５】
メロディＩＣ２１は、発電回路４０に電気接続されるとともに、発電手段４が発電した電力が供給されると作動し、所定のオーディオ信号２６をエンドレスに出力する。なお、所定のオーディオ信号２６は、特定のメロディや音楽に対応したものである。
また、圧電スピーカ２３から鳴らすメロディや音楽を変更する場合には、把持部１３の反植設側面の交換用開口ｈに取り付けた防水仕様の交換用フタ１４を取り外し、ソケット（図示せず）からメロディＩＣ２１を抜いて交換し、メロディＩＣ２１が出力するオーディオ信号２６の種類を変える。
【００６６】
本実施例のミュージック歯ブラシＤは、以下の様に使用する。
使用者が把持部１３を握ってミュージック歯ブラシＤを左右に動かす歯磨き動作を行うと、摺動式発電器の永久磁石４４が円筒体４２内で摺動してコイル４３に交流が発生し、発電回路４０に所定電圧の直流が蓄電され、メロディＩＣ２１に供給される。
これにより、メロディＩＣ２１が作動し、オーディオ信号２６を圧電スピーカ２３へ出力するので、圧電スピーカ２３がオーディオ信号２６で駆動され、メロディや音楽等が鳴る。
【００６７】
また、使用者が歯磨き動作を中断すると、摺動式発電器が発電しなくなるので、発電回路４０に蓄電された電力が漸減していき、圧電スピーカ２３から鳴動しているメロディや音楽等の音が小さくなっていく。
使用者が再び歯磨き動作を再開すると、摺動式発電器が発電を始め、発電回路４０に蓄電され、圧電スピーカ２３から再び大きくメロディや音楽等が鳴り出すが、歯磨き動作を再開せず放置するとやがて止まる。
使用者が歯磨きを終了してミュージック歯ブラシＤを洗ってコップ等に入れると、摺動式発電器が発電しなくなり、発電回路４０に蓄電された電力が少なくなると止まる。
【００６８】
つぎに、本実施例のミュージック歯ブラシＤの利点を述べる。
〔す〕使用者が歯磨きを行なおうとして把持部１３を手で握り、ミュージック歯ブラシＤを左右に動かす歯磨き動作を行うと、摺動式発電器の永久磁石４４が円筒体４２内で摺動してコイル４３に交流が発生し、発電回路４０に所定電圧の直流が蓄電されメロディＩＣ２１に供給されメロディＩＣ２１が作動するので、ミュージック歯ブラシＤがメロディや音楽等を演奏するので楽しく歯磨きを行うことができる。
なお、スイッチをオンにして電源を入れるという操作が不要であり、ミュージック歯ブラシＤを左右に動かす歯磨き動作を行ってメロディや音楽等を鳴らす構造であるので、幼少の子供でも確実にメロディや音楽等を演奏させることができる。また、電池切れは生じない。
〔せ〕ミュージック歯ブラシＤは、構造が比較的簡単であるので安価に製造することができる。
【００６９】
つぎに、本発明の実施例５に係るミュージック歯ブラシＦ（請求項５、７に対応）を図６に基づいて説明する。
図６に示す如く、ミュージック歯ブラシＦは、多数の毛１１を植設したブラシ部１２と、握るための把持部１３とを連結してなる。この把持部１３の中空部内には、電池２２と、圧電スピーカ２３とを組み付け、電子回路５を組み込んだ回路基板（図示せず）が防水状態に封入されている。
【００７０】
ブラシ部１２（幅１．５ｃｍ、肉厚０．７ｃｍ、長さ３．５ｃｍ）は、歯磨き時に口腔内に入れる部分であり、練りハミガキを付けた多数の毛１１を歯に押し当て、前後左右に動かして磨く。
把持部１３（幅２．０ｃｍ、肉厚２．０ｃｍ、長さ１８ｃｍ）は、歯磨きする際に、利き手で握る部分である。
【００７１】
電子回路５は、メモリ５１、ＡＭＰ５２を組み込み、スイッチＳＷａ、ＳＷｂ、ＳＷｃを電気接続している。この電子回路５には、作動用電力が電池２２から常時供給されており、稼働信号５４、５５、５６の組み合わせに対応したメロディや音楽をエンドレスに出力する。また、各稼働信号入力ポートへ稼働信号５４〜５６が全く入力しない場合の消費電流は極僅かである。
【００７２】
メモリ５１には、複数種類（本実施例では七種類）のメロディや音楽に対応したデジタルデータが格納されている。
ＡＭＰ５２は、メモリ５１に格納されたデジタルデータを、圧電スピーカ２３が駆動可能なレベルのオーディオ信号５０に変換するためのものである。
なお、ミュージック歯ブラシＦにおいて、演奏時間が設定され、演奏開始から演奏時間が経過するとオーディオ信号の出力を停止するタイマ５３｛図６（ａ）の破線参照｝を電子回路５内に組み込んでも良い（請求項８に対応）。
【００７３】
押圧部をゴムで形成したスイッチＳＷａ、ＳＷｂ、ＳＷｃは、把持部１３の異なる表面部位に設けられ、各一端が接地され、各他端が電子回路５の各稼働信号入力ポートに電気接続されている。そして、スイッチＳＷａ、ＳＷｂ、ＳＷｃの押圧部を押圧すると、稼働信号５４〜５６が電子回路５の稼働信号入力ポートへ入力する。
【００７４】
本実施例のミュージック歯ブラシＦは、以下の様に使用する。
使用者が歯磨きを行なおうとして把持部１３を握り、何れかのスイッチＳＷａ、ＳＷｂ、ＳＷｃの押圧部が自然に押圧されると、何れかの稼働信号が電子回路５の稼働信号入力ポートへ入力する。
これにより、電子回路５が作動し、オーディオ信号５０を圧電スピーカ２３へ出力するので、圧電スピーカ２３がオーディオ信号５０で駆動され、メロディや音楽等が鳴る。
【００７５】
使用者が歯の別の部位を磨くため、把持部１３を握り直し、別のスイッチＳＷａ、ＳＷｂ、ＳＷｃの押圧部が自然に押圧されると、別の稼働信号が電子回路５の稼働信号入力ポートへ入力し、別のメロディや音楽等が鳴る。使用者が歯磨きを終了してミュージック歯ブラシＦを洗ってコップ等に入れると、スイッチＳＷａ、ＳＷｂ、ＳＷｃの押圧部が押圧されなくなるのでメロディや音楽等が止まる。
【００７６】
つぎに、本実施例のミュージック歯ブラシＦの利点を述べる。
〔そ〕使用者が歯磨きを行なおうとして把持部１３を手で握れば、自然に何れかのスイッチＳＷａ、ＳＷｂ、ＳＷｃが閉成し、何れかの稼働信号が電子回路５の稼働信号入力ポートへ入力し、ミュージック歯ブラシＦがメロディや音楽等を演奏する。また、使用者が歯の別の部位を磨くため、把持部１３を握り直すと、自然に別のスイッチＳＷａ、ＳＷｂ、ＳＷｃが閉成するので、ミュージック歯ブラシＦが別のメロディや音楽等を演奏する。つまり、合計七種類のメロディや音楽が演奏されるので楽しく歯磨きを行うことができる。  
【００７７】
〔た〕ミュージック歯ブラシＦは、意識してスイッチ操作を行う必要がないので、スイッチの入れ忘れが生じず、把持部１３を手で握れば、何れかの稼働信号が電子回路５の稼働信号入力ポートへ稼働信号５４を入力させることができるので、幼少の子供でも確実にメロディや音楽等を演奏させることができ、歯磨きを楽しく行うことができる。
【００７８】
〔ち〕ミュージック歯ブラシＦは、スイッチＳＷａ、ＳＷｂ、ＳＷｃが開成状態で稼働信号入力ポートに稼働信号５４〜５６が入力しない場合の消費電流は極僅かであるので、使用者が幼少の子供であっても、早期の電池切れは生じない。
【００７９】
〔変形例Ｆ−１〕
ミュージック歯ブラシＦにおいて、演奏時間が設定され、演奏開始から演奏時間が経過するとオーディオ信号５０の出力を停止するタイマ５３｛図６（ａ）の破線参照｝を電子回路５へ組み込んでも良い（請求項８に対応）。
この構成のミュージック歯ブラシは、使用者が把持部１３を握って、一つ以上のスイッチＳＷａ、ＳＷｂ、ＳＷｃが閉成状態になっていても、演奏開始から演奏時間が経過すると、メロディや音楽等が鳴り止む。
これにより、使用者は、歯磨きの終了時期が来たことを確認できる。なお、演奏時間は、歯磨きに適した時間に設定すれば良く、例えば、１分、２分、３分、５分、１０分、１５分等に設定する。
【００８０】
つぎに、本発明の実施例６に係るミュージック歯ブラシＧ（請求項６、７に対応）を図７に基づいて説明する。
図７に示す如く、ミュージック歯ブラシＧは、多数の毛１１を植設したブラシ部１２と、握るための把持部１３とを連結してなる。そして、電子回路５、電池２２、圧電スピーカ２３、およびセンサ６のｃｄｓ６１および歯磨検知回路６２を組み付けた回路基板（図示せず）を把持部１３の中空部内に防水状態に封入している。
【００８１】
ブラシ部１２（幅１．５ｃｍ、肉厚０．７ｃｍ、長さ３．５ｃｍ）は、歯磨き時に口腔内に入れる部分であり、練りハミガキを付けた多数の毛１１を歯に押し当て、前後左右に動かして磨く。
把持部１３（幅２．０ｃｍ、肉厚２．０ｃｍ、長さ１８ｃｍ）は、歯磨きする際に、利き手で握る部分である。また、６３はｃｄｓ６１に光を取り込むためのレンズである。
【００８２】
電子回路５は、メモリ５１、ＡＭＰ５２を組み込み、作動用電力が電池２２から常時供給されており、稼働信号６０が入力すると、メモリ５１に格納したデジタルデータに対応するメロディや音楽をエンドレスに出力する。また、稼働信号入力ポートへ稼働信号６０が入力しない場合の消費電流は極僅かである。
【００８３】
圧電スピーカ２３から鳴らすメロディや音楽を変更する場合には、把持部１３の反植設側面の交換用開口ｈに取り付けた防水仕様の交換用フタ１４を取り外し、ソケット（図示せず）からメモリ５１を抜き、別のデジタルデータを格納した別のメモリに交換する。
【００８４】
本実施例のミュージック歯ブラシＧは、以下の様に使用する。
使用者が歯磨きを行なおうとして把持部１３を握り、ミュージック歯ブラシＧを左右に動かす歯磨き動作を行うと、レンズ６３からｃｄｓ６１に入る光量が変化し、ｃｄｓ６１が出力する信号のレベルが変動する。
歯磨検知回路６２は、ｃｄｓ６１が出力する信号のレベルの変化が閾値を越えると、稼働信号入力ポートへ稼働信号６０を出力する。
【００８５】
歯磨検知回路６２および電子回路５には、作動用電力が電池２２から常時供給されている。
電子回路５は、稼働信号６０が入力されると作動し、所定のオーディオ信号５０をエンドレスに出力する。なお、所定のオーディオ信号５０は、特定のメロディや音楽に対応したものである。
圧電スピーカ２３から鳴らすメロディや音楽を変更する場合には、把持部１３の反植設側面の交換用開口ｈに取り付けた防水仕様の交換用フタ１４を取り外し、ソケット（図示せず）からメモリ５１を抜いて交換し、デジタルデータを変える。
【００８６】
本実施例のミュージック歯ブラシＧは、以下の様に使用する。
使用者が歯磨きを行なおうとして把持部１３を握り、ミュージック歯ブラシＧを左右に動かす歯磨き動作を行い、歯磨検知回路６２に歯磨き動作を検出させる。
これにより、稼働信号６０が電子回路５に入力するので電子回路５が作動し、オーディオ信号５０を圧電スピーカ２３へ出力する。そして、圧電スピーカ２３がオーディオ信号５０で駆動され、メロディや音楽等が鳴る。
使用者が歯磨きを終了してミュージック歯ブラシＧを洗ってコップ等に入れると、光量が略一定となり、ｃｄｓ６１が出力する信号のレベルが略一定になり、メロディや音楽等が止まる。
【００８７】
つぎに、本実施例のミュージック歯ブラシＧの利点を述べる。
〔つ〕使用者が歯磨きを行なおうとして把持部１３を手で握り、ミュージック歯ブラシＧを左右に動かす歯磨き動作を行えば、ミュージック歯ブラシＧがメロディや音楽等を演奏する。このため、楽しく歯磨きを行うことができる。
【００８８】
〔て〕ミュージック歯ブラシＧは、意識してスイッチ操作を行う必要がなく、ミュージック歯ブラシＧを左右に動かす歯磨き動作を行えば、ミュージック歯ブラシＧがメロディや音楽等を演奏するので、幼少の子供でも確実にメロディや音楽等を演奏させることができ、歯磨きを楽しく行うことができる。
〔と〕ミュージック歯ブラシＧは、動かさず、光量が略一定の状態で稼働信号６０が出ない場合の消費電流は極僅かであるので、使用者が幼少の子供であっても、早期の電池切れは生じない。
【００８９】
〔変形例Ｇ−１〕
ミュージック歯ブラシＧにおいて、演奏時間が設定され、演奏開始から演奏時間が経過するとオーディオ信号５０の出力を停止するタイマ５３｛図７（ａ）の破線参照｝を電子回路５へ組み込んでも良い（請求項８に対応）。
この構成のミュージック歯ブラシＧは、使用者が把持部１３を握って、ミュージック歯ブラシＧを左右に動かす歯磨き動作を行っても、演奏開始から演奏時間が経過すると、メロディや音楽等が鳴り止む。これにより、使用者は、歯磨きの終了時期が来たことを確認できる。なお、演奏時間は、歯磨きに適した時間に設定すれば良く、例えば、１分、２分、３分、５分、１０分、１５分等に設定する。
【００９０】
〔変形例Ｇ−２〕
ｃｄｓ６１に入る光量の変化で歯磨き動作を検知する以外に、電極６４、６５｛図７（ａ）の破線参照｝の電気抵抗により歯磨き動作を検知しても良い。
また、光量の変化と電気抵抗の低下検知との両方で歯磨き動作を検知しても良い。
【００９１】
本発明は、上記実施例以外に、つぎの実施態様を含む。
ａ．図８に示す様に、電池７１を充電式とし、曲データの転送と充電のために、ミュージック歯ブラシＨの把持部の先端等に通信ポート７２を設け、ミュージック歯ブラシホルダ７３側の通信ポート７４から、メモリ７５に曲データを転送し、ミュージック歯ブラシＨの電池７１を充電しても良い。
図８のミュージック歯ブラシＨは、音質向上のために小型スピーカ７７を採用し、曲に合わせてバイブレータ７６が振動する構造になっている。
【００９２】
ｂ．図９に示す様に、把持部の適所（植設側、反植設側、側面）に、情報報知用の液晶ディスプレイを設けても良い。報知情報は、今回の歯磨き時間、温度、現在時間等である。ｃ．図１０に示す様に、把持部を着脱式にして、メロディや音楽等を変えても良い。
ｄ．電池は、把持部の表面に設けた太陽電池であっても良い。
ｅ．センサを、衝撃を感知する衝撃センサや振動を感知する振動センサとし、歯磨き動作を検出しても良い。
ｆ．曲の転送は、ワイヤレス（電波や赤外線）で行っても良い。
ｇ．メロディや音楽は、メトロノームの様なリズム音や電子音であっても良い。
ｈ．メモリは、ＥＥＰＲＯＭ、半導体メモリ、ＲＯＭ等である。
【図面の簡単な説明】
【００９３】
【図１】実施例１、２のミュージック歯ブラシの構造を示す説明図である。
【図２】（ａ）は実施例１のミュージック歯ブラシに採用した、メロディや音楽を鳴らすための電気回路のブロック図であり、（ｂ）はその電気回路をミュージック歯ブラシの把持部へ組み付けた状態を示す説明図である。
【図３】（ａ）は実施例２のミュージック歯ブラシに採用した、メロディや音楽を鳴らすための電気回路のブロック図であり、（ｂ）はその電気回路をミュージック歯ブラシの把持部へ組み付けた状態を示す説明図である。
【図４】（ａ）は実施例３のミュージック歯ブラシに採用したメロディや音楽を鳴らすための電気回路のブロック図であり、（ｂ）はその電気回路をミュージック歯ブラシの把持部へ組み付けた状態を示す説明図である。
【図５】（ａ）は実施例４のミュージック歯ブラシに採用したメロディや音楽を鳴らすための電気回路のブロック図であり、（ｂ）はその電気回路をミュージック歯ブラシの把持部へ組み付けた状態を示す説明図である。
【図６】（ａ）は実施例５のミュージック歯ブラシに採用したメロディや音楽を鳴らすための電気回路のブロック図であり、（ｂ）はその電気回路をミュージック歯ブラシの把持部へ組み付けた状態を示す説明図である。
【図７】（ａ）は実施例６のミュージック歯ブラシに採用したメロディや音楽を鳴らすための電気回路のブロック図であり、（ｂ）はその電気回路をミュージック歯ブラシの把持部へ組み付けた状態を示す説明図である。
【図８】実施態様のａに係るミュージック歯ブラシおよびミュージック歯ブラシホルダに採用した電気回路のブロック図である。
【図９】実施態様のｂに係るミュージック歯ブラシの説明図である。
【図１０】実施態様のｃに係るミュージック歯ブラシの説明図である。
【符号の説明】
【００９４】
Ａ、Ｂ、Ｃ、Ｄ、Ｆ、Ｇ、Ｈ  ミュージック歯ブラシ（歯ブラシ）
５  電子回路
１１  毛
１２  ブラシ部
１３  把持部
２６、５０  オーディオ信号
２１  メロディＩＣ（メロディ集積回路）
２２  電池
２３  圧電スピーカ（鳴動体）
２４、２５  スイッチ
２４ａ、２５ａ  電極板（電気接点）
２４ｂ、２５ｂ  導電性ゴムパッド（電気接点）
２７  ＤＩＰＳＷ（切換スイッチ）
２８、５３  タイマ
５１  メモリ
５４、５５、５６  稼働信号
７７  小型スピーカ（鳴動体）
ＳＷａ、ＳＷｂ、ＳＷｃ  スイッチ
【図１】
2006042966.tif 000003
【図２】
2006042966.tif 000004
【図３】
2006042966.tif 000005
【図４】
2006042966.tif 000006
【図５】
2006042966.tif 000007
【図６】
2006042966.tif 000008
【図７】
2006042966.tif 000009
【図８】
2006042966.tif 000010
【図９】
2006042966.tif 000011
【図１０】
2006042966.tif 000012
【手続補正書】
【提出日】平成16年8月2日(2004.8.2)
【手続補正２】
【補正対象書類名】図面
【補正対象項目名】図９
【補正方法】変更
【補正の内容】
【図９】
2006042966.tif 000013